(57)【要約】【課題】ユーザーが調理器を使用していると思われる状況で放置していた場合よりも、明らかにユーザーが使用していない状態で放置していた場合の方が、短い時間で電源ＯＦＦさせることで、その分だけ無駄な電力消費を削減する。【解決手段】加熱手段１と、制御手段３と、電源回路４と、電力開閉手段５と、保持手段６と、入力手段２とを備え、ユーザーが調理器を未使用である状態での放置時間を計測する未使用タイマ時間とユーザーが使用途中での放置時間を計測する基準タイマ時間を基準タイマ時間＞未使用タイマ時間という条件で設定し、それぞれのタイマが０になった場合に電源をＯＦＦさせる。【選択図】図１
2005326134.tif 000002
【特許請求の範囲】
【請求項１】
被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止するタイマ時間を多段階に設定することを特徴とする加熱調理器。
【請求項２】
被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止する複数のタイマ時間を有し、前記タイマ時間は、調理設定完了状態／調理終了状態／調理一時停止状態になった時点から計時する標準タイマ時間と、前記制御手段が電力供給状態でかつ前記制御手段の状態変化がない状態を計時する少なくとも１つ以上の未使用タイマ時間とで構成したことを特徴とする加熱調理器。
【請求項３】
被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止する複数のタイマ時間を有し、前記タイマ時間は、調理設定完了状態／調理終了状態／調理一時停止状態になった時点から計時する標準タイマ時間と、調理終了完了後にドア開／閉動作しかつ前記制御手段の状態変化がない状態を計時する少なくとも１つ以上の未使用タイマ時間とで構成したことを特徴とする加熱調理器。
【請求項４】
被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止する複数のタイマ時間を有し、前記タイマ時間は、調理設定完了状態／調理終了状態／調理一時停止状態になった時点から計時する標準タイマ時間と、加熱調理状態／調理終了状態／調理設定状態から取消した状態に移行した時点でかつ前記制御手段の状態変化がない状態を計時する少なくとも１つ以上の未使用タイマ時間とで構成したことを特徴とする加熱調理器。
【請求項５】
タイマ時間の設定を標準タイマ時間＞未使用タイマ時間とし、前記制御手段の状態変化がない状態の場合に前記標準タイマ時間よりも早く電力供給を停止する構成とした請求項２、３または４に記載の加熱調理器。
【請求項６】
調理終了完了後にドア開／閉動作の回数に応じて、タイマ時間の設定を変更してなる請求項３記載の加熱調理器。
【請求項７】
調理終了完了後にドア開／閉動作の間隔に応じて、タイマ時間の設定を変更してなる請求項３記載の加熱調理器。
【発明の詳細な説明】
【技術分野】
【０００１】
本発明は、マイクロコンピュータを用いた加熱調理器に関するものである。
【背景技術】
【０００２】
マイコンを備えた制御回路で制御される高周波加熱装置は、従来装置では加熱調理を行なっていない時でも、キー入力の検出や時計動作等のために、常に制御回路に電源が供給されていた。しかし一日の使用時間が大変短い装置にあってその制御回路に常に電力を供給し続けるのは、たとえ消費される電力が１Ｗといった小さいものであっても、長い時間に亘れば膨大なエネルギーロスとなった。
【０００３】
そこで最近、電子レンジ等の家電機器において待機電力を少なくしようという要求が出てきている。そのための具体的な回路として、商用電源とその電源回路との間にドアスイッチを介設して、ドアの開成でドアスイッチがＯＮ動作し、ドアの閉成でＯＦＦ動作し自己保持する高周波加熱装置がある（例えば、特許文献１または特許文献２参照）。
【０００４】
図４は、特許文献１，２に記載された従来の加熱調理器のフローチャートである。マイクロコンピュータ（図示せず）により制御手段３を制御し、マイクロコンピュータ（以下マイコンと称す）に電源が供給されていない状態からドア開閉で電源が供給された状態になった場合の動作について説明する。
【０００５】
ます、ステップＳ２２にて、マイコンは一時退避できるメモリとしてＲＡＭを時間の計測カウンタとして用意し、初期設定として計測カウンタＲＡＭであるタイマに６００秒（＝１０分）を設定し、ステップＳ２３では、マイコンは電源から入力されるクロックを元に時間を計測し（例えば、５０Ｈｚではクロック１周期が２０ｍｓなので５０周期くれば１秒と計測できる）、１秒経過すればステップＳ２４に移行し、タイマを１秒減算してからステップＳ２５へ移行する。但しタイマがすでに０の場合には減算せずそのままステップＳ２５へ移行する。１秒経過していない場合は、ステップＳ２５へ処理を飛ばす。
【０００６】
ステップＳ２５で調理中かどうか判断を行い、もし調理中ならステップＳ２２に処理を戻す。調理中でないならステップＳ２６に移行する。ステップＳ２６でキー入力手段２からキー入力信号があった場合には、ステップＳ２２に処理を戻す。キー入力信号がなければ、ステップＳ２７に移行する。
【０００７】
ステップＳ２７にてタイマが０になったかどうか判断する。もしタイマが０になれば無操作で１０分経過したことになるので、ステップＳ２８に移行する。タイマが０でなければステップＳ２３に移行し、動作を繰り返す。
【０００８】
ステップＳ２８では、電源ＯＦＦさせるために制御手段３より保持手段５を制御し、電力開閉手段５をＯＦＦさせて電源回路４から供給される電源をＯＦＦさせる。
【特許文献１】特開２００１−３４９５５４号公報
【特許文献２】特開２００２−３２７９２４号公報
【発明の開示】
【発明が解決しようとする課題】
【０００９】
しかしながら、前記従来の構成では、電力供給を停止した状態からドア開または閉後電力供給を開始し、無操作で放置していた場合でも、調理設定途中などユーザーが使用途中で放置した状態と同じ時間だけ動作するので、その分だけ電力消費してしまうという課題を有していた。
【００１０】
本発明は、前記従来の課題を解決するもので、使用途中状態で電力供給を停止するまでの時間を計測するタイマとは別のタイマを設け、ユーザーが使用していない状態には別タイマで電力供給を停止する判断を行い、使用途中状態よりも早く電力供給を停止する構成とした加熱調理器を提供することを目的とする。
【課題を解決するための手段】
【００１１】
前記従来の課題を解決するために、本発明の加熱調理器は、被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止するタイマ時間を多段階に設定することを特徴としたものである。
【００１２】
これによって、マニュアルなどの設定に時間がかかる調理設定やオートなどの設定に時間がかからない調理設定などに、個別の電源ＯＦＦ時間を設けられ、その分だけ無駄な電力消費の削減ができる。逆に、部品を冷やすための冷却ファンが回っている状況時など電源を早くＯＦＦしたくない状況でも特別に長い時間ＯＮすることもできる。
【００１３】
また、本発明の加熱調理器は、機器の使用状態に応じて、前記制御手段は前記電源回路からの電力供給を停止する複数のタイマ時間を有し、前記タイマ時間は調理設定完了状態、調理終了状態、調理一時停止状態になった時点から計時する標準タイマ時間と前記制御手段が電力供給状態でかつ前記制御手段の状態変化がない状態を計時する少なくとも１つ以上の未使用タイマ時間とで構成したことを特徴としたものである。
【００１４】
これによって、ユーザーが調理設定完了した状態で、調理の材料の下ごしらえをしている状態や調理終了後に食品の取り出し忘れを防止するブザーが鳴っている状態や調理中にドア開または閉し一時停止した状態などのユーザーがまだ使用している状態と、電力供給を停止した状態からドア開または閉して電力供給を開始した状態などのユーザーが使用していない状態で、無操作で放置していた場合に異なる時間で電源ＯＦＦするので、その分だけ無駄な電力消費の削減ができる。
【００１５】
また、本発明の加熱調理器は、機器の使用状態に応じて、前記制御手段は前記電源回路からの電力供給を停止する複数のタイマ時間を有し、前記タイマ時間は調理設定完了状態、調理終了状態、調理一時停止状態になった時点から計時する標準タイマ時間と調理終了完了後にドア開または閉しかつ前記制御手段の状態変化がない状態を計時する少なくとも１つ以上の未使用タイマ時間とで構成したことを特徴としたものである。
【００１６】
これによって、ユーザーが調理設定完了した状態で、調理の材料の下ごしらえをしている状態や調理終了後に食品の取り出し忘れを防止するブザーが鳴っている状態や調理中にドア開または閉し一時停止した状態などのユーザーがまだ使用している状態と、調理終了してからドア開または閉し食品を取り出し、お忘れ防止ブザーを解除した状態などのユーザーが使用していない状態で、無操作で放置していた場合に異なる時間で電源ＯＦＦするので、その分だけ無駄な電力消費の削減ができる。
【００１７】
また、本発明の加熱調理器は、機器の使用状態に応じて、前記制御手段は前記電源回路からの電力供給を停止する複数のタイマ時間を有し、前記タイマ時間は調理設定完了状態、調理終了状態、調理一時停止状態になった時点から計時する標準タイマ時間と加熱調理状態、調理終了状態、調理設定状態から取消した状態に移行した時点でかつ前記制御手段の状態変化がない状態を計時する少なくとも１つ以上の未使用タイマ時間とで構成したことを特徴としたものである。
【００１８】
これによって、ユーザーが調理設定完了した状態で、調理の材料の下ごしらえをしている状態や調理終了後に食品の取り出し忘れを防止するブザーが鳴っている状態や調理中にドア開または閉し一時停止した状態などのユーザーがまだ使用している状態と、調理をしていて取消した状態や調理終了後に食品の取り出し忘れを防止するブザーを取消した状態や調理を設定している状態または調理中にドア開または閉し一時停止した状態から取消した状態などのユーザーが使用していない状態で、無操作で放置していた場合に異なる時間で電源ＯＦＦするので、その分だけ無駄な電力消費の削減ができる。
【００１９】
また、本発明の加熱調理器は、タイマ時間の設定を標準タイマ時間＞未使用タイマ時間とし、前記制御手段の状態が変わらない状態の場合に前記標準タイマ時間よりも早く電力供給を停止する構成としたを特徴としたものである。
【００２０】
これによって、ユーザーが使用していると思われる状況で放置していた場合よりも、明らかにユーザーが使用していない状態で放置していた場合の方が、短い時間で電源ＯＦＦするので、その分だけ無駄な電力消費を削減できる。
【発明の効果】
【００２１】
本発明の加熱調理器は、ユーザーが未使用状態で放置している場合に使用途中状態で放置しているよりも短い時間で電源ＯＦＦするので、無駄な電力消費を削減することができる。
【発明を実施するための最良の形態】
【００２２】
第１の発明は被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止するタイマ時間を多段階に設定することを特徴とすることにより、これによって、マニュアルなどの設定に時間がかかる調理設定やオートなどの設定に時間がかからない調理設定などに、個別の電源ＯＦＦ時間を設けられ、その分だけ無駄な電力消費の削減ができる。逆に、部品を冷やすための冷却ファンが回っている状況時など電源を早くＯＦＦしたくない状況でも特別に長い時間ＯＮすることもできる。
【００２３】
第２の発明は被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止する複数のタイマ時間を有し、前記タイマ時間は調理設定完了状態、調理終了状態、調理一時停止状態になった時点から計時する標準タイマ時間と前記制御手段に電力供給を開始しかつ前記制御手段の状態が変わらない状態を計時する未使用タイマ時間とで構成したことを特徴としたものである。
【００２４】
これによって、ユーザーが調理設定完了した状態で、調理の材料の下ごしらえをしている状態や調理終了後に食品の取り出し忘れを防止するブザーが鳴っている状態や調理中にドア開または閉し一時停止した状態などのユーザーがまだ使用している状態と、電力供給を停止した状態からドア開または閉して電力供給を開始した状態などのユーザーが使用していない状態で、無操作で放置していた場合に異なる時間で電源ＯＦＦするので、その分だけ無駄な電力消費の削減ができる。
【００２５】
第３の発明は被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止する複数のタイマ時間を有し、前記タイマ時間は調理設定完了状態、調理終了状態、調理一時停止状態になった時点から計時する標準タイマ時間と調理終了完了後にドア開閉しかつ前記制御手段の状態が変わらない状態を計時する未使用タイマ時間とで構成したことを特徴としたものである。
【００２６】
これによって、ユーザーが調理設定完了した状態で、調理の材料の下ごしらえをしている状態や調理終了後に食品の取り出し忘れを防止するブザーが鳴っている状態や調理中にドア開または閉し一時停止した状態などのユーザーがまだ使用している状態と、調理終了してからドア開または閉し食品を取り出し、お忘れ防止ブザーを解除した状態などのユーザーが使用していない状態で、無操作で放置していた場合に異なる時間で電源ＯＦＦするので、その分だけ無駄な電力消費の削減ができる。
【００２７】
第４の発明は被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、各加熱モードまたは加熱条件を入力する入力手段とを備え、機器の使用状態に応じて、前記制御手段は前記電源回路からの電力供給を停止する複数のタイマ時間を有し、前記タイマ時間は調理設定完了状態、調理終了状態、調理一時停止状態になった時点から計時する標準タイマ時間と加熱調理状態、調理設定完了状態、調理終了状態、調理一時停止状態から取消した状態に移行した時点でかつ前記制御手段の状態が変わらない状態を計時する未使用タイマ時間とで構成したことを特徴としたものである。
【００２８】
これによって、ユーザーが調理設定完了した状態で、調理の材料の下ごしらえをしている状態や調理終了後に食品の取り出し忘れを防止するブザーが鳴っている状態や調理中にドア開または閉し一時停止した状態などのユーザーがまだ使用している状態と、調理をしていて取消した状態や調理終了後に食品の取り出し忘れを防止するブザーを取消した状態や調理を設定している状態または調理中にドア開または閉し一時停止した状態から取消した状態などのユーザーが使用していない状態で、無操作で放置していた場合に異なる時間で電源ＯＦＦするので、その分だけ無駄な電力消費の削減ができる。
【００２９】
第５の発明は、特に、第２、３または４の発明の加熱調理器をタイマ時間の設定を標準タイマ時間＞未使用タイマ時間とし、前記制御手段の状態が変わらない状態の場合に前記標準タイマ時間よりも早く電力供給を停止する構成としたを特徴としたものである。
【００３０】
第６、７の発明は、調理終了完了後にドア開／閉動作の回数に応じて、タイマ時間の設定を変更したことにより、再調理を意図する場合と、単なる食品取り出しを効果的に区別し、省エネ効果を更に高めることができる。
【００３１】
これによって、ユーザーが使用していると思われる状況で放置していた場合よりも、明らかにユーザーが使用していない状態で放置していた場合の方が、短い時間で電源ＯＦＦするので、その分だけ無駄な電力消費を削減できる。
【００３２】
以下、本発明の実施の形態について、図面を参照しながら説明する。なお、この実施の形態によって本発明が限定されるものではない。
【００３３】
（実施の形態１）
図１は、本発明の第１の実施の形態における加熱調理器の図を示すものである。
【００３４】
図１において、マイクロコンピュータ（図示せず）は制御手段３を用いて加熱手段１を制御し、入力手段２の情報によりにユーザーの使用／未使用状態を判断し、保持手段６を制御して電力開閉手段５をＯＮ／ＯＦＦすることにより、電源回路４からマイクロコンピュータ（以下マイコンと称す）に供給される電源がＯＮ／ＯＦＦされる構成となっている。
【００３５】
以上のように構成された加熱調理器について、以下にその動作、作用を説明する。
【００３６】
まず、マイコンに電源が供給されていない状態から、ドア閉／閉などの条件で電力開閉手段５をＯＮさせマイコンに電源が供給された場合に、マイコン内部のプログラムが実行される。このとき、マイコン初期設定で保持手段６にマイコンから信号をＯＮさせることで保持手段６はＯＮし続け、電力開閉手段５がＯＮするのでマイコンへの電力供給を保持する。
【００３７】
次にマイコンは初期設定で一定もしくは可変のタイマ時間１（例えば６分）とタイマ時間１より短い別のタイマ時間２（例えば２分）を設定する。それ以降１秒経過ごとにタイマ時間の減算を開始し、その間に入力手段２からのキーなどによる入力信号が入力されない場合、タイマ時間２の残り時間がゼロになった時点でマイコンからの出力信号をＯＦＦさせる。
【００３８】
また、入力手段２を通じて調理メニューの選択や加熱機能を設定した状態の場合、タイマ時間２の残り時間がゼロになってもマイコンからの出力信号はＯＮのままであり、タイマ時間１がゼロになった時点で、マイコンからの出力信号をＯＦＦさせる。
【００３９】
なお、それぞれのタイマの残り時間がゼロになる前に入力手段２からの信号が入力されると、タイマ時間は再設定されるので、マイコン出力信号のＯＮは延長される。
【００４０】
さらに、調理者が食品を加熱室内に入れてドアを閉め、入力手段２を通じて加熱機能を設定した後で、加熱を開始させた時には、マイコンは待機状態（タイマ減算状態）から調理状態となる。そしてマイコン２は調理状態時にはタイマ時間を再設定し続け、調理終了後に再び減算を始める。もちろん、調理プログラムが完遂ないし取消しされた後は未使用状態であるので短い方のタイマ時間２を使用してマイコンへの電力の供給を遮断するが、調理終了後に食品の出し忘れをお知らせするお忘れ防止ブザーが鳴っている場合や部品を冷やすための冷却ファンが回っている場合は、それらが止まるまでマイコン電源をＯＦＦしないようにする。
【００４１】
以上のように、本実施例において未使用状態と使用状態とで別のタイマを用意することにより、電源ＯＦＦ時間を短くし電力消費を削減することができる。
【００４２】
（実施の形態２）
図２は、本発明の第２の実施例の加熱調理器のフローチャートである。なお、実施例１と同一符号のものは同一構造を有し、説明は省略する。
【００４３】
まず、マイコンはステップＳ１にて、初期設定としてタイマ１に３６０秒（＝６分）の時間とタイマ２にタイマ１よりも短い１２０秒（＝２分）の時間を設定する。
【００４４】
次に、ステップＳ２では、電源から入力されるクロックを元に時間を計測し（例えば、５０Ｈｚではクロック１周期が２０ｍｓなので５０周期くれば１秒と計測できる）、１秒経過すればステップＳ３に移行し、タイマ１とタイマ２を１秒ずつ減算してからステップＳ４へ移行する。但し、タイマ１およびタイマ２がすでに０の場合には減算せずそのままステップＳ４に移行する。１秒経過していない場合は、ステップＳ４へ処理を飛ばす。
【００４５】
ステップＳ４でマイコンは一時記憶メモリであるＲＡＭに記憶された内容から調理中かどうか判断を行い、もし調理中ならステップＳ１に処理を戻す。調理中でないならステップＳ５に移行する。ステップＳ５で入力手段２からキー入力信号があった場合には、ステップＳ１に処理を戻す。キー入力信号がなければ、ステップＳ６に移行する。
【００４６】
ステップＳ６にてマイコンはステップＳ４での判断と同様に、ＲＡＭに記憶された内容から未使用状態かどうか判断する。もし未使用状態でないならステップＳ７に移行する。もし未使用状態ならステップＳ８に移行する。
【００４７】
ステップＳ７にてマイコンはタイマ１が０であるかどうか判断し、０であるなら使用状態で６分経過したと判断しステップＳ９に移行する。もし０でないならステップＳ２に戻り、処理を繰り返す。
【００４８】
ステップＳ８ではタイマ２が０かどうか判断し、０であるなら未使用状態で２分経過したと判断し、ステップＳ９に移行する。もし０でないならステップＳ２に戻り、処理を繰り返す。
【００４９】
ステップＳ９ではマイコンの電源をＯＦＦさせるために、マイコンからの電源保持信号をＯＦＦさせ、電源ＯＦＦする。
【００５０】
（実施の形態３）
図３は、本発明の第３の実施例の加熱調理器のフローチャートである。なお、実施例１、２と同一符号のものは同一構造を有し、説明は省略する。
【００５１】
まず、マイコンはステップＳ１０にて、冷却ファンの回る最大時間としてタイマ３に９００秒（＝１５分）を設定する。もし調理終了後に冷却ファンが回らない調理である場合や庫内温度が低く回す必要がない場合、ステップＳ１０の処理は飛ばされ、タイマ３には０が設定される。
【００５２】
ステップＳ１１にて初期状態電源ＯＦＦ時間としてタイマ１に３６０秒（＝６分）の時間と設定状態電源ＯＦＦ時間としてタイマ２にタイマ１よりも短い１２０秒（＝２分）の時間を設定する。
【００５３】
次に、ステップＳ１２では、電源から入力されるクロックを元に時間を計測し、１秒経過すればステップＳ１３に移行し、タイマ１とタイマ２とタイマ３を１秒ずつ減算してからステップＳ１４へ移行する。但し、タイマ１およびタイマ２およびタイマ３がすでに０の場合には減算せずそのままステップＳ１４に移行する。１秒経過していない場合は、ステップＳ１４へ処理を飛ばす。
【００５４】
ステップＳ１４でマイコンは一時記憶メモリであるＲＡＭに記憶された内容から調理中かどうか判断を行い、もし調理中ならステップＳ１０に処理を戻す。これにより全てのタイマを初期化するので調理中に電源ＯＦＦしない。調理中でないならステップＳ１５に移行する。ステップＳ１５で入力手段２からキー入力信号があった場合には、ステップＳ１６に処理を移行させる。キー入力信号がなければ、ステップＳ１７に移行する。
【００５５】
ステップ１６では、キー入力内容と現在の状態により新しい状態に変化させる。例えば、初期状態から調理設定キーを押したときには設定状態になる。そしてステップ１１に処理を戻す。
【００５６】
ステップＳ１７にてマイコンは、Ｓ１６にて作られた状態が電源ＯＮ初期状態か設定状態か判断する。ここで調理終了時にドア開／閉操作した後などユーザー未使用状態になっている場合は全て電源ＯＮ初期状態と見なす。もし電源ＯＮ初期状態ならステップＳ１８に移行する。もし設定状態ならステップＳ１９に移行する。
【００５７】
ステップＳ１８にてマイコンはタイマ２が０であるかどうか判断し、０であるなら電源ＯＮ初期状態で２分経過したと判断しステップＳ２０に移行する。もし０でないならステップＳ１２に戻り、処理を繰り返す。
【００５８】
ステップＳ１９ではタイマ１が０かどうか判断し、０であるなら設定状態で６分経過したと判断し、ステップＳ２０に移行する。もし０でないならステップＳ１２に戻り、処理を繰り返す。
【００５９】
ステップＳ２０ではタイマ３が０であるかどうか判断し、０であるなら冷却ファンがＯＦＦしていると判断しステップ２１に移行する。０でないなら冷却ファン動作中であるので、マイコンの電源をＯＦＦさせないためにステップＳ１２に移行する。
【００６０】
ステップＳ２１ではマイコンの電源をＯＦＦさせるために、マイコンからの電源保持信号をＯＦＦさせ、電源ＯＦＦする。
【００６１】
なお、調理終了完了後にドア開／閉動作の回数に応じて、あるいは、ドア開／閉動作の間隔に応じて、タイマ時間の設定を変更することにより、再調理を意図する場合と、単なる食品取り出しを効果的に区別し、省エネ効果を更に高めることができる。
【００６２】
具体的には、例えば、調理終了後に、ドア開閉動作により、被調理物を取り出すこととなるが、この際、同様のドア開閉操作が、５〜６秒以内程度に行われた場合、単に、先の開閉動作によっては、被調理物が取り出せなかったこと等も経験的に思量されるため、こうした際には、通常の調理取り出しと判断し、２分程度で電源を遮断する仕様とすることも考えられる。
【産業上の利用可能性】
【００６３】
以上のように、本発明の加熱調理器は、容易に待機時電力削減が可能となるため、加熱調理器のみならず他の家電機器への展開も図れる。
【図面の簡単な説明】
【００６４】
【図１】従来および本発明の実施の形態１における加熱調理器の構成図
【図２】本発明の実施の形態２における加熱調理器のフローチャート
【図３】本発明の実施の形態３における加熱調理器のフローチャート
【図４】従来の加熱調理器におけるフローチャート
【符号の説明】
【００６５】
１  加熱手段
２  入力手段
３  制御手段
４  電源回路
５  電力開閉手段
６  保持手段
【図１】
2005326134.tif 000003
【図２】
2005326134.tif 000004
【図３】
2005326134.tif 000005
【図４】
2005326134.tif 000006